(57)【特許請求の範囲】
【請求項１】
支柱とその外側に配置した壁パネルとこれらを固定する固定金具とを備えており、前記支柱は、一側面に縦溝が開口している平断面Ｃ型で前記縦溝を挟んだ両側には前記一側面を構成する側板が存在している一方、前記壁パネルは、その広巾面を支柱の一側面と直交させた状態に配置されていると共に、その広巾面には前記固定金具と重なる状態で上下長手の蟻溝が形成されている、
という構成であって、
前記固定金具は、前記支柱の一側面と壁パネルの広巾面とに重なる平面略Ｌ型の金具本体と、前記金具本体を支柱の一側面に固定するための第１のねじ式締結具と、前記金具本体を壁パネルに固定するための第２のねじ式締結具とから成っており、
前記第１のねじ式締結具は、前記金具本体に外側から重なる押さえ部材と、前記押さえ部材と金具本体とを貫通して縦溝から支柱の内部に挿入された第１ボルトと、前記第１ボルトに押さえ部材の外側からねじ込まれた第１ナットとを備えており、前記押さえ部材には支柱の縦溝に横ずれ不能に嵌まり込む嵌合部が形成され、前記第１ボルトのうち支柱の内部に入り込んだ端部には、前記支柱の内面につかえることで第１ボルトを回転不能及び抜け不能に保持する第１係止体が固定されており、更に、前記金具本体のうち第１ボルトが貫通した穴は水平方向に長い第１長穴になっている一方、
前記第２のねじ式締結具は、前記金具本体を貫通して壁パネルの蟻溝に入り込む第２ボルトと、前記第２ボルトに金具本体の外側から螺合した第２ナットとを備えており、前記第２ボルトのうち壁パネルの蟻溝に入り込んだ端部に、前記壁パネルの蟻溝の内面につかえることで第２ボルトを回転不能及び抜け不能に保持する第２係止体が固定されており、かつ、前記金具本体のうち第２ナットが貫通した穴は水平方向に長い第２長穴になっている、
建物。
【請求項２】
支柱とその外側に配置した壁パネルとこれらを固定する固定金具とを備えており、前記支柱は、一側面に縦溝が開口している平断面Ｃ型で前記縦溝を挟んだ両側には前記一側面を構成する側板が存在している一方、前記壁パネルは、その広巾面を支柱の一側面と直交させた状態に配置されていると共に、その広巾面には前記固定金具と重なる状態で上下長手の蟻溝が形成されている、
という建物における前記固定金具であって、
前記支柱の一側面と壁パネルの広巾面とに重なる平面視略Ｌ型の金具本体と、前記金具本体を支柱の一側面に固定するための第１のねじ式締結具と、前記金具本体を壁パネルの広巾面に固定するための第２のねじ式締結具とから成っており、
前記第１のねじ式締結具は、前記金具本体に外側から重なる押さえ部材と、前記押さえ部材と金具本体とを貫通して縦溝から支柱の内部に挿入された第１ボルトと、前記第１ボルトに押さえ部材の外側からねじ込まれた第１ナットとを備えており、前記押さえ部材には支柱の縦溝に横ずれ不能に嵌まり込む嵌合部が形成され、前記第１ボルトのうち支柱の内部に入り込んだ端部には、前記支柱の内面につかえることで第１ボルトを回転不能及び抜け不能に保持する第１係止体が固定されており、更に、前記金具本体のうち第１ボルトが貫通した穴は水平方向に長い第１長穴になっている一方、
前記第２のねじ式締結具は、前記金具本体を貫通して壁パネルの蟻溝に入り込む第２ボルトと、前記第２ボルトに金具本体の外側から螺合した第２ナットとを備えており、前記第２ボルトのうち壁パネルの蟻溝に入り込んだ端部に、前記壁パネルの蟻溝の内面につかえることで第２ボルトを回転不能及び抜け不能に保持する第２係止体が固定されており、かつ、前記金具本体のうち第２ナットが貫通した穴は水平方向に長い第２長穴になっている、
建物における壁パネル固定金具。
【発明の詳細な説明】
【０００１】
【発明の属する技術分野】
本発明は、鉄骨プレハブ住宅のような軸組工法に好適な壁パネル固定金具とこれを使用した建物に関するものである。
【０００２】
【従来の技術】
鉄骨プレハブ住宅の壁は、図１１及び図１２に示すように、基礎上に支柱（軸）Ａを適当な間隔で立設すると共に、隣合った支柱Ａの下端間に下水平枠Ｂを配設することによって軸組（枠組）を構成し、この軸組に、セラミック系等の壁パネルＣ（外壁）を取付けた構造になっている。
【０００３】
一般に、支柱Ａ及び下水平枠Ｂは一側面に縦溝が開口した断面Ｃ型のチャンネル材が使用されており（支柱Ａの縦溝を符号Ａ１で表示、縦溝Ａ１の両側にあって支柱Ａの一側面を構成する側板を符号Ａ２で表示している。）、また、壁パネルＣには、取付けのための上下長手の蟻溝Ｃ１が形成されている。蟻溝Ｃ１は、断面Ｃ型の鋼材（レール状部材）を一体に埋設することによって形成されている。
【０００４】
そして、壁パネルＣは、下水平枠Ｂと支柱Ａとに取り付けられており、壁パネルＣを支柱Ａに固定する手段としては、図１２および図１３に示すように、支柱Ａの側面に平面視Ｌ型のブラケットＤを溶接によって固着し、このブラケットＤと壁パネルＣとを、壁パネルＣの蟻溝Ｃ１に係合するキー式ボルトＥ及びナットＦによって固定している。
【０００５】
ブラケットＤには、ボルトＥが嵌まる上向き開口コ字状の切欠き穴Ｄ１が空いており、また、隣合った壁パネルＣが同一平面状となるように、必要により、壁パネルＣとブラケットＤとの間に、ボルトＥに上方から被嵌する下向き開口コ字状のスペーサＧを介在させて、支柱Ａと壁パネルＣとの間の間隔寸法を調節している。
【０００６】
他方、壁パネルＣを下水平枠Ｂに取付ける手段としては、図１４に示すように、下水平枠Ｂに載る受け金具Ｈに、壁パネルＣの下面を支持する下水平片Ｈ１と、壁パネルＣの蟻溝Ｃ１に係合するキー式ボルトＥとを設けて、ボルトＥにナットＦをねじ込んで、壁パネルＣを受け金具Ｈに固定していた。
【０００７】
【発明が解決しようとする課題】
ところで、建物には多数枚の壁パネルＣが使用されており、これらの壁パネルＣは、全体として同一平面となるように各支柱Ａからの距離を調節すると共に、高さと姿勢を一定に揃え、更に、隣合った壁パネルＣの間に所定間隔（一般に１０ｍｍ程度）の目地隙間Ｉを空ける必要がある。
【０００８】
しかし、従来のように受け金具Ｈを介して下水平枠Ｂで支持しただけの構成では、壁パネルＣの姿勢と高さ及び目地隙間Ｉの間隔を調節するに際しては、ナットＦを仮締めした状態で、大きなバールＪで壁パネルＣを持ち上げつつ、一点鎖線で示すように、目地隙間Ｉに挿入した大きなバールＪによって壁パネルＣを横方向に強引に動かし、それからナットＦを本締めするようにしており、このため、壁パネルＣを所定の姿勢の通りに取付ける作業が頗る厄介で、作業者にも多大の負担がかかっていた。
【０００９】
また、支柱Ａと壁パネルＣとの間隔の調節はスペーサＧによって行うものであるため、各壁パネルＣが同一平面となるように微調整することが困難であるという問題もあった。更に、ブラケットＤは支柱Ａに溶接されていて移動不能であるため、他の外装部材がブラケットＤと干渉することがある問題や、壁パネルの固定箇所を増やしたくても増やせないといった問題もあった。
【００１０】
更に、壁パネルＣの高さを調節すると、壁パネルＣが受け金具Ｈの支持片Ｈ１から浮いた状態になることがあり、このため、壁パネルＣの安定性が低いという点も問題であった。
【００１１】
また、ブラケットＤを溶接する分だけ工数が増加する問題に加えて、支柱の位置によってブラケットの突出方向が決められることから、支柱の種類が増えて、設計や在庫管理に手間がかかるという問題があった。特に、壁パネルの品種に応じてブラケットの長さや高さ位置が異なることがあるため、支柱の種類を増やさなければならず、このため設計および在庫管理並びに施工の手間が切実な問題になっていた。
【００１２】
本発明は、このような問題を解消することを目的とするものである。
【００１３】
【課題を解決するための手段】
本発明は、支柱とその外側に配置した壁パネルとこれらを固定する固定金具とを備えており、前記支柱は、一側面に縦溝が開口している平断面Ｃ型で前記縦溝を挟んだ両側には前記一側面を構成する側板が存在している一方、前記壁パネルは、その広巾面を支柱の一側面と直交させた状態に配置されていると共に、その広巾面には前記固定金具と重なる状態で上下長手の蟻溝が形成されている、という構成の建物とこれに使用される前記固定金具とに係るものである。
【００１４】
本願発明の固定金具は、前記支柱の一側面と壁パネルの広巾面とに重なる平面略Ｌ型の金具本体と、前記金具本体を支柱の一側面に固定するための第１のねじ式締結具と、前記金具本体を壁パネルに固定するための第２のねじ式締結具とから成っている。
【００１５】
そして、固定金具における第１のねじ式締結具は、前記第１のねじ式締結具は、前記金具本体に外側から重なる押さえ部材と、前記押さえ部材と金具本体とを貫通して縦溝から支柱の内部に挿入された第１ボルトと、前記第１ボルトに押さえ部材の外側からねじ込まれた第１ナットとを備えており、前記押さえ部材には支柱の縦溝に横ずれ不能に嵌まり込む嵌合部が形成され、前記第１ボルトのうち支柱の内部に入り込んだ端部には、前記支柱の内面につかえることで第１ボルトを回転不能及び抜け不能に保持する第１係止体が固定されており、更に、前記金具本体のうち第１ボルトが貫通した穴は水平方向に長い第１長穴になっている。
【００１６】
一方、固定金具における第２のねじ式締結具は、前記第２のねじ式締結具は、前記金具本体を貫通して壁パネルの蟻溝に入り込む第２ボルトと、前記第２ボルトに金具本体の外側から螺合した第２ナットとを備えており、前記第２ボルトのうち壁パネルの蟻溝に入り込んだ端部に、前記壁パネルの蟻溝の内面につかえることで第２ボルトを回転不能及び抜け不能に保持する第２係止体が固定されており、かつ、前記金具本体のうち第２ナットが貫通した穴は水平方向に長い第２長穴になっている。
【００１７】
【発明の実施形態】
次に、本発明の実施形態を図面（図１〜図１０）に基づいて説明する。
【００１８】
図１は、固定金具１と受け金具２とを使用して壁パネルＣを取付ける状態を示す斜視図である。支柱Ａ及び下支持枠Ｂ並びに壁パネルＣの構造は従来と同様なので説明は省略する。先ず、図１〜図４を参照して固定金具１を説明する。
【００１９】
図２は固定金具１の分離平面図、図３は固定金具１の分離正面図、図４のうち（Ａ）は図２のＡ−Ａ視図、（Ｂ）は図３のＢ−Ｂ視図であり、これらの図及び図１に示すように、固定金具１は、支柱Ａの一側面（一対の側板Ａ２）と壁パネルＣとに重なる平面視Ｌ型の金具本体３と、金具本体３を支柱Ａに押さえ付ける押さえ部材４と、これらを支柱Ａに固定するための第１のねじ式締結具５と、金具本体３のうち壁パネルＣに固定するための第２のねじ式締結具６とを備えている。
【００２０】
第１のねじ式締結具５は、金具本体３及び押さえ部材４に貫通した第１ボルト７と、支柱Ａの内部に挿入される板状の第１係止体８と、押さえ部材４の外側から第１ボルト７にねじ込まれる第１ナット９とを備えており、第１係止体８はかしめ付け等によって第１ボルト７に一体に設けられている。
【００２１】
第１係止体８は、縦長の姿勢では支柱Ａの縦溝Ａ１に水平方向から自在に挿入できる幅寸法で、かつ、第１ボルト７を回転させると水平状の姿勢になって支柱Ａの内面につかえる寸法であり、支柱Ａの内面につかえると水平状の姿勢になるように端部を斜めにカットしている。第１ボルト７のうち第１係止体８と金具本体３との間の部位には円錐型コイルばね１０を被嵌している。なお、第１係止体８は、斜めの姿勢で支柱Ａの内面につかえるように設定しても良い。
【００２２】
コイルばね１０は、第１係止体８を金具本体３から離反させて、支柱Ａ内への第１係止体８の挿入を容易にする役割、および、ナット９の回転によって第１係止体８を連れ回りさせる役割を備えている。
【００２３】
図４に示すように、金具本体３において第１ボルト７が貫通する穴は、水平方向に沿って延びる第１長穴１１になっており、このため、金具本体３は壁パネルＣの厚さ方向にある程度の寸法だけ移動調節した状態で支柱Ａに締結することができる。
【００２４】
他方、押さえ部材４において第１ボルト７が貫通する穴１２は単なる丸穴となっており、更に、押さえ部材４には、支柱Ａの縦溝Ａ１に嵌まり込むことによって押さえ部材４を横ずれ不能に保持する上下一対の嵌合部１３，１４が折曲げ形成されている。この場合、上嵌合部１３の突出寸法は小さい一方、下嵌合部１４は、図２，３に示すように、支柱Ａ内に抜け不能に嵌まり込み得るよう、支柱Ａの前後内幅とほぼ同じ前後幅寸法に形成されている。
【００２５】
金具本体３のうち壁パネルＣと重なる部位は、壁パネルＣの蟻溝Ｃ１と交叉し得る長さに設定されている。そして、第２のねじ式締結具６は、壁パネルＣの蟻溝Ｃ１に抜け不能に嵌まり係合し得る第２係止体１６を一体に設けた第２ボルト１７と、これに金具本体３の外側から螺合する第２ナット１８とからなっており、金具本体３において第２ボルト１７が貫通する穴は水平状に延びる第２長穴１９になっている。
【００２６】
第２係止体１６は、水平状の姿勢になると蟻溝Ｃ１の内面につかえるように設定しているが、斜めの姿勢で蟻溝Ｃの内面につかえるように設定しても良い。
【００２７】
例えば図１に示すように、第２係止体１６には、蟻溝Ｃ１の開口縁Ｃ１′に嵌まる角形のストッパー部１６ａが形成されている。ストッパー部１６ａが蟻溝Ｃ１の開口縁Ｃ１に当たった状態では係止体１６は回転させることができないので、ストッパー部１６ａも蟻溝Ｃ１の中に嵌め込んでから係止体１６を回転させることにになる。このため、蟻溝Ｃ１は、ストッパー部１６ａも嵌め込み得る深さに設定されている。
【００２８】
なお、壁パネルＣには蟻溝Ｃ１の位置が異なるものが何種類かあるが、この点については、壁パネルＣの種類に応じて、金具本体３を、壁パネルＣと重なる部位の長さが異なるものを何種類か用意しておいても良いし、或いは、端面から蟻溝Ｃ１までの間隔が最も大きい壁パネルＣに対応したものを１種類製造して、第２長穴１９の長さ寸法を大きくしておくことにより、蟻溝Ｃ１がどの位置にあっても対応できるようにしておいても良い。
【００２９】
金具本体３のうち壁パネルＣと重なる部位には、補強のため、リブ２０を膨出形成すると共にフランジ２１を折曲げ形成している。また、押さえ部材４には、金具本体３のリブ２０に当接しうる側片４ａを折曲げ形成している。
【００３０】
支柱が立設された現場で固定金具１を使用して壁パネルＣを取付け施工する場合は、先ず、固定金具１を支柱Ａに取付ける。
【００３１】
すなわち、先ず、図５に示すように、固定金具１を、第２係止体１６が上向きとなるように第１ボルト７の軸心回りに９０度回転させた横向き姿勢にし、かつ、第１係止体８を上下長手に延びる姿勢にし、その状態で、第１係止体８と押さえ部材４の下嵌合部１４とを支柱Ａの縦溝Ａ１に挿入し、それから、固定金具１を第１ボルト７の軸心回りに回転させて図６のような姿勢に戻し、それから第１ナット９を締め込んで、第１係止体８と第１ナット９とで、支柱Ａの側板Ａ２と金具本体３と押さえ部材４とを共締めする。
【００３２】
この場合、図５に示すように、押さえ部材４の下嵌合部１４のみが支柱の縦溝Ａ１に嵌まるように固定金具１を多少傾けた状態にして回転させることにより、下嵌合部１４を先に支柱Ａの内部にきっちりと嵌め込み、それから、固定金具１を起こして上嵌合部１３を嵌め込む（固定金具１を横向きにした状態で上下嵌合部１４を共に縦溝Ａ１に嵌め込んでしまうと、固定金具１を回転させることができない）。
【００３３】
また、第１ナット９を締め込むとコイルばね１０が押し縮められるが、コイルばね１０は円錐型であるため偏平な状態に押し縮めることができ、したがって、図６に一点鎖線で示すように、第１係止体８を支柱Ａの内角部に係合する状態まで確実に引き寄せて、固定金具１を確実に支柱Ａに締結することができる。
【００３４】
次に、受け金具２について、図１に加えて図７及び図８を参照して説明する。図７は平面図、図８は図７のVIII−VIII視断面図であり、両図及び図１に示すように、受け金具２は、下支持枠Ｂを上方及び外側から覆うような側面視逆Ｌ型の本体部２２を備えており、本体部２２の上端には、下水平枠Ｂの底面に当接するアジャスタボルト２３をねじ込んでいる。
【００３５】
アジャスタボルト２３の下端にはナット２４を回転不能に固定しており、このナット２４には座金２４ａが回転自在に装着されている。すなわち、アジャスターボルト２３に、座金２４ａが回転自在にかしめ付けられたナット２４を固定している。
【００３６】
アジャスターボルト２３として単なる頭付きボルトを使用しただけであると、ボルトの下端が下水平枠Ｂに片当たりすることにより、アジャスターボルト２３を回転させると当該アジャスターボルト２３が横ずれして、位置決めをしにくくなる問題があるが、本実施形態のように回転自在な座金２４ａ付きのナット２４を使用すると、座金２４ａ付きナット２４がスラストベアリングのような役割を果たすため、アジャスターボルト２３を回転させても横ずれすることはなく、その結果、壁パネルＣの位置決めと高さ調節を正確かつ容易に行える。
【００３７】
本体部２２における垂直部２２ａの下端には、壁パネルＣの下端面が載る支持片２５を折曲げ形成し、更に、本体部２２の垂直部２２ａには、壁パネルＣと受け金具２とを水平方向に離反不能に保持する係止部の一例として、壁パネルＣの蟻溝Ｃ１に下方から嵌まる係止片２６を設けている。この場合、係止片２６は本体部２２とは別体に製造してリベットで固定しているが、本体部２２に切り起こし形成しても良い。
【００３８】
受け金具２における本体部２２の前端には、正面視下向き開口コ字状の下向き突起２７を一体に設けている。この下向き突起２７は平面視で下支持枠Ｂの上片Ｂ１と重なるように設定している。この下向き突起２７は、壁パネルＣの取付け作業の当初において、壁パネルＣのおおよその高さと姿勢を揃えるためのものである。すなわち、下向き突起２７が下水平枠Ｂに当たる程度にアジャスタボルト２３の高さを調節しておくことにより、壁パネルＣをおおよその高さ及び姿勢に揃えるようにしたものである。
【００３９】
次に、予め支柱Ａに固定金具１を取り付けておいて、後から壁パネルＣを取付ける場合の作業手順を説明する。まず、図５及び図６に基づいて説明した方法により、左右の支柱Ａに固定金具１を適当な個数ずつ取付けておく。この場合、第１ナット９は仮締め状態にしておく。また、固定金具１の第２係止体１６は、壁パネルＣの蟻溝Ｃ１に嵌まるように上下方向に延びる姿勢にしておく。
【００４０】
次いで、壁パネルＣを持ち上げて、左右の蟻溝Ｃ１に下方から受け金具２の係止片２６を差し込んで、その状態で受け金具２のアジャスタボルト２３を下支持枠Ｂの内底面に載せて壁パネルＣを鉛直状の姿勢にすることにより、固定金具１における第２係止体１６を蟻溝Ｃ１に挿入し、次いで、第２ナット１８をある程度までねじ込んで、壁パネルＣを固定金具１に仮固定する。
【００４１】
そして、アジャスタボルト２３を回転操作して左右の受け金具２の高さを調節することにより、壁パネルＣの高さと姿勢とを正確に揃え、更に、固定金具１の金具本体３を第１長穴１１に沿って前後方向にずらし移動することにより、支柱Ａと壁パネルＣと間隔を微調整し、更に、壁パネルＣを、固定金具１の第２長穴１９に沿って左右方向にずらすことにより、隣合った壁パネルＣの間の目地隙間を微調整し、最後に、各ナット９，１８を本締めして、壁パネルＣを支柱Ａに固定する。
【００４２】
上述の説明は、固定金具１を現場で取付ける施工方法であったが、壁パネルＣと支柱Ｃと固定金具１とを予め工場でセットしておいても良い。具体的には、壁パネルＣを寝かせた状態で、固定金具１を介して支柱Ａを壁パネルＣに取付けて、固定金具１を仮締めしておき、現場において支柱Ａを固定してから、微調整して固定金具１を本締めすれば良い。下支持枠Ｂ及び受け金具２も工場で予め取付けておいても良い。
【００４３】
本実施形態によると、壁パネルＣの高さを受け金具２によって微調整できることと、壁パネルＣの前後位置及び左右位置を微調整できることにより、壁パネルＣを正確な位置に容易に取付けることができる。本実施形態のように、第１のねじ式締結具５にばね１０を設けると、支柱Ａへの固定金具１の取付けが容易となる利点がある。なお、コイルばねに代えて他の弾性手段を設けても良い。
【００４４】
【００４５】
【００４６】
【００４７】
また、受け金具に、実施形態の固定金具における第２のねじ式締結具６と同様のねじ締結具を設けることにより、受け金具に壁パネルを締結しても良い。また、壁パネルＣの左右横幅が大きい場合は、３本以上の支柱に１枚の壁パネルを取付けても良い。押さえ部材の嵌合部は上下いずれかにあれば足りる。
【００４８】
本実施形態のように、第２係止体１６に、蟻溝Ｃ１の開口縁Ｃ１′内に回転不能に嵌まるストッパー部１６ａを設けると、耐震性を向上できる利点がある。この点を図９及び図１０に基づいて説明する。
【００４９】
図９は平断面図、図１０は部分正面図であり、例えば地震が起きて壁パネルＣが図１０に矢印Ａで示すように揺れると（壁パネルＣは矢印Ａ方向及びこれと反対方向に交互に揺れる）、固定金具１と壁パネルＣとが相対動することより、図１０に矢印Ｂで示すように、第２ボルト１６を回転させようとする外力が作用し、このため、第２係止体１６が縦長の姿勢に回動し、蟻溝Ｃから抜け出る虞がある。
【００５０】
しかし、本実施形態のように第２係止体１６にストッパー部１６ａを設けておくと、第２係止体１６は回動しないため、たとえ第２ボルト１６を回転させるような外力が作用しても第２係止体１６の姿勢は変わらず、その結果、第２係止体１６が蟻溝Ｃから抜け出ることを防止して、耐震性を向上できる。なお、第１係止体８にも、支柱Ａの開口縁に回転不能に嵌まるストッパー部を形成しておくことはできる。
【００５１】
実施形態では支柱を基礎から立てているが、支柱を下水平枠で支持した構造でも良く、このような構造も請求項に含まれる。
【００５２】
【発明の作用・効果】
本発明によると、固定金具の金具本体の締結位置を支柱の側面に沿って水平方向にずらし調節することにより、支柱と壁パネルとの間隔を容易に微調整することができ、さらに、壁パネルは固定金具の金具本体に重ねたまま左右方向にずらすことができるため、隣合った壁パネルの間の目地隙間も容易に微調整することができる。
【００５３】
したがって本発明によると、広い面積で重量の大きい壁パネルであっても、正確な位置に取付けることができると共に、取付け作業の手間及び作業者の負担を軽減することができる。
【００５４】
また、固定金具はねじで支柱に締結するものであり、しかも、支柱は断面Ｃ型であるため、固定金具は壁パネルの大きさや重量等に応じて任意の高さ位置に必要な数だけ過不足なく配置することができるばかりか、他の外装部材があってもこれとの干渉を回避することができる。
【００５５】
また、支柱にブラケットを溶接する必要はないため、それだけ工数を低減できるばかりか、ブラケットが存在しないことにより、壁パネルの品種等に関係なく支柱を共通化することが可能となり、その結果、設計や在庫管理、或いは施工の手間を格段に軽減することができる。
【００５６】
更に、固定金具は押さえ部材を備えており、支柱の側板と金具本体を強固に挟み付けることができるため、支柱に対する固定金具の取付け強度を向上することができる。この場合、押さえ部材は支柱の縦溝に嵌合しているため、固定金具のずれを防止できると共に、リブ効果によって押さえ部材の強度も向上することができ、その結果、より一層、支柱への固定金具の取付け強度を向上することができる。
【図面の簡単な説明】
【図１】本発明に係る金具の使用状態を示す斜視図である。
【図２】固定金具の分離平面図である。
【図３】固定金具の分離正面図である。
【図４】（Ａ）は図２のＡ−Ａ視図、（Ｂ）は図３のＢ−Ｂ視図である。
【図５】固定金具の取付け手順を示す平面図である。
【図６】固定金具の取付け手順を示す平面図である。
【図７】受け金具の平面図である。
【図８】図７のVIII−VIII視断面図である。
【図９】第２係止体の箇所での平断面図である。
【図10】耐震性を説明するための正面図である。
【図11】軸組工法における壁構造を示す概略断面図である。
【図12】従来の固定金具で壁パネルを取付けた状態での平断面図である。
【図13】従来の固定金具による壁パネルの取付け手順の一部を示す正面図である。
【図14】従来の受け金具の斜視図である。
【符号の説明】
Ａ  支柱（軸）
Ａ１  縦溝
Ａ２  支柱の一側面を構成する側板
Ｂ  下水平枠
Ｃ  壁パネル
Ｃ１  蟻溝
Ｉ  目地隙間
１  固定金具
２  受け金具
３  固定金具の金具本体
４  押さえ部材
５  第１のねじ式締結具
６  第２のねじ式締結具
７  第１ボルト
８  第１係止体
９  第１ナット
１１  第１長穴
１３，１４  押さえ部材の嵌合部
１６  第２係止体
１７  第２ボルト
１８  第２ナット
１９  第２長穴
【図２】
0004149090.tif 000002
【図７】
0004149090.tif 000003
【図１１】
0004149090.tif 000004
【図１３】
0004149090.tif 000005
【図１４】
0004149090.tif 000006
【図１】
0004149090.tif 000007
【図３】
0004149090.tif 000008
【図４】
0004149090.tif 000009
【図５】
0004149090.tif 000010
【図６】
0004149090.tif 000011
【図８】
0004149090.tif 000012
【図９】
0004149090.tif 000013
【図１０】
0004149090.tif 000014
【図１２】
0004149090.tif 000015